(57)【要約】      （修正有）【課題】未使用フレームの頭出しを良好に効率よく行うことができる画像形成装置を提供する。【解決手段】プラテンローラとサーマルヘッド１６との間でインクリボン及び帯状の被画像形成体２１を圧接移動させてインクリボンのインクを被画像形成体２１の転写フレームＦに転写し画像Ｐを形成する。被画像形成体２１は、転写フレームＦを複数有すると共に、各転写フレームの境界部位にフレームマーク２１ｄを有する。フレームマーク２１ｄを検出するフレームマークセンサ２５と、フレームマークセンサ２５で検出可能な使用済みマークＭＺを画像Ｐの転写の最後に含めると共にフレームマークセンサ２５から出力される検出信号における使用済みマークＭＺの検出有無に基づいて未使用のフレームの頭出し動作を実行する制御部とを備える。【選択図】図１４
2016135552.tif 000002
【特許請求の範囲】
【請求項１】
プラテンローラと、前記プラテンローラに対し相対的に離接するサーマルヘッドと、を備え、前記プラテンローラと前記サーマルヘッドとの間でインクリボン及び帯状の被画像形成体を圧接移動させて前記インクリボンのインクを前記被画像形成体の転写フレームに転写し前記被画像形成体に画像を形成する画像形成装置であって、
前記被画像形成体は、前記転写フレームを複数有すると共に、各前記転写フレームの境界部位にフレームマークを有しており、
前記フレームマークを検出するフレームマークセンサと、
前記フレームマークセンサで検出可能な使用済みマークを前記画像の転写の最後に含めると共に、前記フレームマークセンサから出力される検出信号における前記使用済みマークの検出有無に基づいて、未使用の前記転写フレームの頭出し動作を実行する制御部と、
を備えたことを特徴とする画像形成装置。
【請求項２】
前記インクリボンは、イエローのインク層，マゼンタのインク層，シアンのインク層，及びブラックのインク層を有し、
前記制御部は、
前記画像を、各前記インク層のインクを選択的に重畳転写してカラー画像として形成すると共に、前記使用済みマークを、少なくとも前記シアンのインク層のインクと前記ブラックのインク層のインクとのいずれかを含めて形成することを特徴とする請求項１記載の画像形成装置。
【請求項３】
請求項１又は請求項２記載の画像形成装置と、
前記画像形成装置で前記被画像形成体に形成された前記画像の一部を、再転写体に再転写する再転写装置と、
を備えたことを特徴とする再転写印刷装置。
【請求項４】
サーマルヘッドの動作によりインクリボンのインクを帯状の被画像形成体における転写フレームに転写して前記被画像形成体に画像を形成する画像形成方法であって、
前記被画像形成体において、前記転写フレームを帯方向に複数並設するよう一定間隔で区画するフレームマークをフレームマークセンサで検出可能に形成しておき、
前記画像の転写の最後に、前記フレームマークセンサによって検出可能な使用済みマークを転写し、
前記フレームマークセンサから出力される検出信号における前記使用済みマークの検出有無に基づいて、未使用の前記転写フレームの頭出し動作を実行することを特徴とする画像形成方法。
【発明の詳細な説明】
【技術分野】
【０００１】
本発明は、画像形成装置，再転写方式の印刷装置，及び画像形成方法に係る。
【背景技術】
【０００２】
複数色のインク層の組が帯方向に繰り返し塗布されたインクリボンから、各色のインクを、被画像形成体の同一転写領域にサーマルヘッドを用いて昇華転写又は溶融転写することでカラー画像を形成する画像形成装置が知られている。
特許文献１には、この画像形成装置を含む再転写方式の印刷装置が記載されている。この印刷装置で用いるインクリボンは、イエロー（Ｙ），マゼンタ（Ｍ），シアン（Ｃ），及びブラック（ＢＫ）の四色であり、被画像形成体は帯状の中間転写フィルムである。
【０００３】
特許文献１に記載された印刷装置は、インクリボンを、そのインク層を中間転写フィルムに重ね合わせて帯方向に移動させながら、サーマルヘッドをインク層とは反対側の面に圧着して各色のインクを中間転写フィルムにおける同一の転写領域（以下、転写領域はフレームとも称する）に一色ずつ転写し、カラー画像を形成する。
すなわち、色毎に、サーマルヘッドの離隔，中間転写フィルムの一フレーム分の巻き戻しと頭出し，及びサーマルヘッドの圧着の各動作をこの順に行う。
従って、四色のインクを用いたカラー画像を形成するために、中間転写フィルムについて、四回の頭出し動作（三回の巻き戻し動作）を行う。
【０００４】
特許文献１では、インクリボンのインク層の各組において、最初の転写色であるイエロー（Ｙ）のインク層の先頭位置に、各組の頭出し動作のための頭出しマーク１１ｃが付与されている。また、中間転写フィルムには、各フレームの先頭位置に、フレームの頭出し動作のためのフレームマーク２１ｄが付与されている。
【０００５】
特許文献１に記載された印刷装置は、上述の画像形成動作を行う画像形成装置に加えて、中間転写フィルムに形成したカラー画像をカードなどの被再転写体に再度転写する再転写動作を行う再転写装置を備えている。
【先行技術文献】
【特許文献】
【０００６】
【特許文献１】特許第４３３７５８２号公報
【発明の概要】
【発明が解決しようとする課題】
【０００７】
ところで、画像形成装置において、中間転写フィルムの一つのフレームへ転写している途中でカード搬送エラーなどの不具合が生じると、画像形成装置又は印刷装置全体の動作がエラー処理として停止するようになっている。このとき、サーマルヘッドは、フレームの途中に位置し、転写中のフレームは途中まで転写した状態となっている。
この状態から電源をＯＦＦにし、復帰作業後に電源を再度ＯＮにすると、サーマルヘッドが位置している途中まで転写済みのフレームを、完全な未使用フレームと誤認識し、再度、そのフレームの頭出しをして印刷を再開して印刷不良となる場合があった。
また、画像形成装置のメンテナンスなどのため、複数のフレームの内の途中のフレームまで使用済みとした中間転写フィルムを、一旦装置から取り外す場合がある。
このときは、中間転写フィルムを、着脱可能な巻き取りリール及び供給リールと共に取り外す。
そして、メンテナンス後に中間転写フィルムを巻き取りリール及び供給リールと共に再度装着するときには、中間転写フィルムを、巻き取ったリールから他方のリールに架け渡して送り出しながら、目視で中間転写フィルムの未使用フレームの位置を探す作業を行っていた。
そのため、メンテナンス効率が低下すると共に、位置出しに失敗して、未使用フレームが残ってしまう、或いは使用済みフレームから再度転写を行ってしまう、という不具合を招く虞があった。
【０００８】
これらから、複数フレームの途中のフレームまで使用済みで残りが未使用となっている非画像形成体における、未使用フレームの頭出しを、良好に効率よく行うことができる画像形成装置などが望まれている。
【０００９】
そこで、本発明が解決しようとする課題は、画像を転写形成する被画像形成体の未使用フレームの頭出しを、良好に効率よく行うことができる画像形成装置，再転写方式の印刷装置，及び画像形成方法を提供することにある。
【課題を解決するための手段】
【００１０】
上記の課題を解決するために、本発明は次の構成又は手順を有する。
１）  プラテンローラと、前記プラテンローラに対し相対的に離接するサーマルヘッドと、を備え、前記プラテンローラと前記サーマルヘッドとの間でインクリボン及び帯状の被画像形成体を圧接移動させて前記インクリボンのインクを前記被画像形成体の転写フレームに転写し前記被画像形成体に画像を形成する画像形成装置であって、
前記被画像形成体は、前記転写フレームを複数有すると共に、各前記転写フレームの境界部位にフレームマークを有しており、
前記フレームマークを検出するフレームマークセンサと、
前記フレームマークセンサで検出可能な使用済みマークを前記画像の転写の最後に含めると共に、前記フレームマークセンサから出力される検出信号における前記使用済みマークの検出有無に基づいて、未使用の前記転写フレームの頭出し動作を実行する制御部と、
を備えたことを特徴とする画像形成装置である。
２）  １）に記載の画像形成装置と、
前記画像形成装置で前記被画像形成体に形成された前記画像の一部を、再転写体に再転写する再転写装置と、
を備えたことを特徴とする再転写印刷装置である。
３）  サーマルヘッドの動作によりインクリボンのインクを帯状の被画像形成体における転写フレームに転写して前記被画像形成体に画像を形成する画像形成方法であって、
前記被画像形成体において、前記転写フレームを帯方向に複数並設するよう一定間隔で区画するフレームマークをフレームマークセンサで検出可能に形成しておき、
前記画像の転写の最後に、前記フレームマークセンサによって検出可能な使用済みマークを転写し、
前記フレームマークセンサから出力される検出信号における前記使用済みマークの検出有無に基づいて、未使用の前記転写フレームの頭出し動作を実行することを特徴とする画像形成方法である。
【発明の効果】
【００１１】
本発明によれば、画像を転写形成する被画像形成体の未使用フレームの頭出しを、良好に効率よく行うことができる。
【図面の簡単な説明】
【００１２】
【図１】図１は、本発明の実施の形態に係る画像形成装置の実施例である画像形成装置５１を含む再転写方式の印刷装置ＰＲを説明するための図である。
【図２】図２は、印刷装置ＰＲの構成を説明するためのブロック図である。
【図３】図３は、画像形成装置５１に用いられるインクリボン１１を説明するための図である。
【図４】図４は、画像形成装置５１に用いられる中間転写フィルム２１を説明するための図である。
【図５】図５は、画像形成装置５１におけるサーマルヘッド１６の圧接位置の状態を説明するための模式図である。
【図６】図６は、サーマルヘッド１６を説明するための模式図である。
【図７】図７は、インクリボン１１と中間転写フィルム２１との転写における頭出しと転写動作について説明するための図である。
【図８】図８は、インクリボン１１におけるインク層Ｙ１のインクの、中間転写フィルム２１におけるフレームＦ１への転写について説明するための図である。
【図９】図９は、フレームＦ１に転写された画像Ｙ（１）について説明するための図である。
【図１０】図１０は、インクリボン１１におけるインク層Ｍ１のインクの、フレームＦ１への重畳転写について説明するための図である。
【図１１】図１１は、インク層Ｙ１及びインク層Ｍ１のインクの重畳転写で形成されたフレームＦ１の転写画像を説明するための図である。
【図１２】図１２は、フレームＦ１に形成された画像Ｐ（１）について説明するための図である。
【図１３】図１３は、フレームＦ１に形成された画像Ｐ（１）の再転写後の状態を説明するための図である。
【図１４】図１４は、エラー復帰の場合の未使用フレームＦの頭出し動作について説明するための第１の図である。
【図１５】図１５は、エラー復帰の場合の未使用フレームＦの頭出し動作について説明するための第２の図である
【図１６】図１６は、エラー復帰の場合の未使用フレームＦの頭出し動作について説明するための第３の図である。
【図１７】図１７は、中間転写フィルム２１の再装着の場合の未使用フレームＦの頭出し動作について説明するための第１の図である。
【図１８】図１８は、中間転写フィルム２１の再装着の場合の未使用フレームＦの頭出し動作について説明するための第２の図である。
【図１９】図１９は、中間転写フィルム２１の再装着の場合の未使用フレームＦの頭出し動作について説明するための第３の図である。
【発明を実施するための形態】
【００１３】
本発明の実施の形態に係る画像形成装置の実施例を画像形成装置５１とし、以下、画像形成装置５１を備えた再転写方式の印刷装置ＰＲについて図１〜図１９を参照して説明する。
【００１４】
（実施例１）
図１に示されるように、画像形成装置５１は、印刷装置ＰＲの筐体ＰＲａ内に収められている。印刷装置ＰＲは再転写方式の印刷装置であって、いわゆるカードプリンタである。
画像形成装置５１は、インクリボン１１用の供給リール１２及び巻き取りリール１３を装脱自在に取り付け可能である。
取り付けられた供給リール１２及び巻き取りリール１３は、それぞれ駆動用のモータＭ１２及びモータＭ１３の駆動により回転する。モータＭ１２，Ｍ１３の回転速度及び回転方向は、画像形成装置５１に備えられた制御部ＣＴにより制御される。
【００１５】
インクリボン１１は、供給リール１２と巻き取りリール１３との間で、複数のガイドシャフト１４に案内され所定の走行経路に掛け渡される。
インクリボン１１の走行経路の途中には、頭出し用のインクリボンセンサ１５が配置されている。
インクリボンセンサ１５は、インクリボン１１の頭出しマーク１１ｄ（図３参照）を検出し、リボンマーク検出情報Ｊ１（図２参照）を制御部ＣＴに向け送出する。
【００１６】
インクリボン１１の走行経路におけるインクリボンセンサ１５と巻き取りリール１３との間に、サーマルヘッド１６が配置されている。
サーマルヘッド１６は、掛け渡されたインクリボン１１のリボンベース１１ａ側の面（図３参照）に対し離接する（図５の矢印Ｄａ方向）。
このサーマルヘッド１６の離接動作は、ヘッド離接駆動部Ｄ１６により制御部ＣＴの制御の下で実行される。
【００１７】
画像形成装置５１は、装填されたインクリボン１１に対する図１の左方側に、中間転写フィルム２１用の供給リール２２及び巻き取りリール２３が装脱自在に取り付け可能である。
取り付けられた供給リール２２及び巻き取りリール２３は、それぞれ駆動用のモータＭ２２及びモータＭ２３の駆動により回転する。モータＭ２２，Ｍ２３の回転速度及び回転方向は、制御部ＣＴにより制御される。
【００１８】
中間転写フィルム２１は、供給リール２２と巻き取りリール２３との間で、複数のガイドシャフト２４に案内されて所定の走行経路に掛け渡される。
中間転写フィルム２１の走行経路の途中には、頭出し用のフレームマークセンサ２５が配置されている。
フレームマークセンサ２５は、中間転写フィルム２１のフレームマーク２１ｄ（図４参照）を検出し、フレームマーク検出情報Ｊ２（図２参照）を制御部ＣＴに向け送出する。
中間転写フィルム２１は光透過性を有する。例えば、フレームマークセンサ２５を光センサとし、フレームマーク２１ｄを光遮断する部分として形成して、光の透過と遮断との違いによりフレームマーク２１ｄを検出する。
【００１９】
中間転写フィルム２１の走行経路におけるフレームマークセンサ２５とフィルム供給リール２２との間には、モータＭ２６の駆動によって回転するプラテンローラ２６が配置されている。
モータＭ２６の回転速度及び回転方向は、制御部ＣＴにより制御される。
【００２０】
図５にも示されるように、サーマルヘッド１６は、ヘッド離接駆動部Ｄ１６による離接動作で、インクリボン１１に対して離接する。この離接動作するのはプラテンローラ２６でもよく、サーマルヘッド１６とプラテンローラ２６とは相対的に離接すればよい。
詳しくは、サーマルヘッド１６は、インクリボン１１をプラテンローラ２６に向け押圧し、プラテンローラ２６との間に中間転写フィルム２１とインクリボン１１とを挟んで圧接させる圧接位置（図５に示される位置）と、インクリボン１１から離隔した離隔位置（図１に示される位置）と、の間を移動する。サーマルヘッド１６が圧接位置にあるときに、後述する転写が行われる。
【００２１】
インクリボン１１及び中間転写フィルム２１は、サーマルヘッド１６が離隔位置にある状態で、それぞれ、モータＭ１２，Ｍ１３及びモータＭ２２，Ｍ２３の動作により、巻き取りリール１３，２３側への巻き取り及び供給リール１２，２２への巻き戻しが、それぞれ独立してできるようになっている。
【００２２】
インクリボン１１及び中間転写フィルム２１は、サーマルヘッド１６が圧接位置にある状態で、互いに密着して供給リール側又は巻き取りリール側に移動可能となっている。この移動は、モータＭ１２，Ｍ１３，Ｍ２２，Ｍ２３及びモータＭ２６の駆動による供給リール１２，２２，巻き取りリール１３，２３、及びプラテンローラ２６の回転により制御部ＣＴの制御により実行される。
制御部ＣＴは、画像データ送出部ＣＴ１及び使用済みマーク画像生成部ＣＴ２を有する。
画像データ送出部ＣＴ１は、サーマルヘッド１６が圧接位置にあるとき、中間転写フィルム２１の転写フレームＦ（後述）それぞれに転写する画像データＳＮ１をサーマルヘッド１６へ適宜タイミングで供給する。このタイミングは、フレームマーク検出情報Ｊ２などに基づいて制御部ＣＴ全体として決定される。画像データ送出部ＣＴ１は、画像データＳＮ１を、転写画像情報Ｊ３に基づき生成する。
使用済みマーク画像生成部ＣＴ２は、使用済みの転写フレームＦを検出するための使用済みマーク画像を転写させる制御信号（以下、ＭＺ転写制御信号ＳＮ２と称する）を生成し、転写フレームそれぞれにＭＺ転写制御信号ＳＮ２をサーマルヘッド１６へ適宜タイミングで供給する。このタイミングは、画像データ送出部ＣＴ１からの画像データＳＮ１の供給後、同一フレームに対し適宜時期となるよう制御部ＣＴ全体として決定される。
【００２３】
インクリボン１１は、図３（ａ），（ｂ）に示されるように、帯状のリボンベース１１ａと、リボンベース１１ａ上に塗布形成されたインク層１１ｂと、を有している。
インク層１１ｂは、帯方向に並ぶ複数色（ここでは四色）のインク層の組であるインク組１１ｂ１が、繰り返し塗布されて形成されている。
インク組１１ｂ１は、イエローインク層Ｙ，マゼンタインク層Ｍ，シアンインク層Ｃ，及びブラックインク層ＢＫであり、この順で帯方向に塗布されている。
各色のインクは昇華型である。ブラックは、溶融型が用いられる場合もある。
【００２４】
イエローインク層Ｙにおける、隣接するブラックインク層ＢＫの境界部位の一方縁部には、頭出しマーク１１ｄが形成されている。
各インク層Ｙ，Ｍ，Ｃ，ＢＫの帯方向の長さＬａは、互いに同じである。従って、インク層１１ｂの組のピッチＬａｐは、長さＬａの４倍となっている。
インクリボンセンサ１５の位置は、インクリボンセンサ１５が頭出しマーク１１ｄを検出したときに、サーマルヘッド１６の圧接位置がイエローインク層Ｙの走行方向先頭縁の位置と一致するようになっている。
すなわち、圧接位置からインクリボンセンサ１５の検出位置までの走行経路長が、ピッチＬａｐの整数倍とされている。
【００２５】
中間転写フィルム２１は、図４（ａ），（ｂ）に示されるように、帯状のフィルムベース２１ａと、フィルムベース２１ａ上に積層形成された、剥離層２１ｂ及び転写用受像層２１ｃを有している。
フィルムベース２１ａの幅は、インクリボン１１のリボンベース１１ａの幅と同じである。
フィルムベース２１ａ又は転写用受像層２１ｃには、フレームマーク２１ｄが、帯方向に所定のピッチＬｂで繰り返し形成されている。
フレームマーク２１ｄは、全幅に亘り形成されている。
ピッチＬｂは、インクリボン１１における長さＬａと同じ（Ｌａ＝Ｌｂ）である。
中間転写フィルム２１においてピッチＬｂにて一定間隔で区切られる領域が転写フレームＦである。以下、転写フレームＦを、単に、フレームＦと称する。すなわち、フレームマーク２１ｄは、各フレームＦの境界部位に付与され、各フレームＦを帯方向に複数並設するように区画している。
【００２６】
フレームマークセンサ２５の位置は、フレームマークセンサ２５がフレームマーク２１ｄを検出したときに、サーマルヘッド１６の圧接位置がフレームマーク２１ｄの走行方向先頭縁の位置と一致するようにされている。
すなわち、圧接位置からフレームマークセンサ２５の検出位置までの走行経路長が、ピッチＬｂの整数倍とされている。ここでは、例えば４倍にされているものとする。
【００２７】
画像形成装置５１において、中間転写フィルム２１とインクリボン１１とは、図５に示されるように、転写用受像層２１ｃとインク層１１ｂとが直接対向する向きで掛け渡される。
転写用受像層２１ｃは、加熱により昇華したインク層１１ｂのインクを受容して固定する性質を有する。ブラックインク層ＢＫのインクが溶融型の場合は、加熱により溶融したブラックインクを受容して固定する。
これにより、図５に示されるサーマルヘッド１６の圧接状態において、転写用受像層２１ｃに圧着したインク層１１ｂからインクが転写され、転写用受像層２１ｃに画像が形成される。インクは、サーマルヘッド１６に供給された画像データに応じた加熱パターンで転写される。
【００２８】
以上詳述した画像形成装置５１は、使用者によりセットされたインクリボン１１及び中間転写フィルム２１を、サーマルヘッド１６の押圧によって密着させながら移動できるようになっている。
【００２９】
サーマルヘッド１６は、図６に示されるように、インクリボン１１の幅方向に整列配置された＃１〜＃ｎ（ｎは２以上の整数）なるｎ個の発熱抵抗体１６ａを有する。また、サーマルヘッド１６は、画像データＳＮ１及びＭＺ転写制御信号ＳＮ２に応じ、複数の発熱抵抗体１６ａそれぞれに独立して通電するヘッドドライバ１６ｂを有している。
発熱抵抗体１６ａは、例えば、１インチあたり３００個並設される。
【００３０】
ヘッドドライバ１６ｂは、画像データ送出部ＣＴ１から送出された転写する画像データＳＮ１、及び使用済みマーク画像生成部ＣＴ２から送出されたＭＺ転写制御信号ＳＮ２に基づき、複数の発熱抵抗体１６ａそれぞれに対し通電を行う。
通常は、形成する画像に対応する発熱抵抗体１６ａは、全数ｎではなく、並設方向の両端に余裕分をとって隣接するｍ個（ｍは、ｍ＜ｎなる１以上の整数）とされる。すなわち、並設された複数の発熱抵抗体１６ａの内の、（ｎ−ｍ）個分は、余裕分として画像形成には用いない。また、ｍ個の発熱抵抗体１６ａは、ｎ個の内の少なくとも一方端の発熱抵抗体を除く連続するｍ個として選択される。
従って、転写する画像の帯方向（縦）におけるライン数（通電のＯＮとＯＦＦとを選択できる数に相当）をライン数ＬＮａとすると、被画像形成体である中間転写フィルム２１には、画像が、幅×縦＝ｍ×ＬＮａのドットで形成される。
例えば、印刷装置ＰＲとして、被再転写体である外形８６ｍｍ×５４ｍｍのカードに３００ｄｐｉの画像を形成する場合、ｍは約１０００、ＬＮａの値は約６００である。
【００３１】
画像形成装置５１は、インクリボン１１と中間転写フィルム２１とを密着移動させながら、サーマルヘッド１６の各発熱抵抗体１６ａを、転写する画像データに基づいて適宜加熱し、インクリボン１１のインク層１１ｂのインクを中間転写フィルム２１の転写用受像層２１ｃに転写する。
これにより、転写用受像層２１ｃのフレームに所望の画像を転写形成することができる。この画像形成動作の詳細は、後述する。
【００３２】
図１に戻り、印刷装置ＰＲは、画像形成装置５１によって被画像形成体である中間転写フィルム２１の転写用受像層２１ｃに形成した画像（以下、中間画像Ｐとも称する）の一部を、さらに別の被転写体に再転写する再転写装置５２を備えている。
ここでは、被転写体はカード３１である。図１では、搬送中のカード３１を太線で示してある。
再転写装置５２は、制御部ＣＴを画像形成装置５１と共有している。
再転写装置５２は、中間転写フィルム２１の走行経路における、プラテンローラ２６と巻き取りリール２３との間に設けられた再転写部ＳＴ１と、再転写部ＳＴ１にカード３１を供給する供給部ＳＴ２と、再転写部ＳＴ１を通過したカード３１を搬出する搬出部ＳＴ３と、を有している。
【００３３】
再転写部ＳＴ１は、モータＭ４１により回転するヒートローラ４１と、ヒートローラ４１に対向配置された対向ローラ４２と、ヒートローラ４１を対向ローラ４２に対して離接させるヒートローラ駆動部Ｄ４１と、を有している。
供給部ＳＴ２は、カード３１を挟持したままカード３１の姿勢を垂直から水平に転換するように９０°回動する姿勢転換部ＳＴ２ａを有する。
供給部ＳＴ２は、さらに、スタッカ３２に立ち姿勢で装填された複数のカード３１の中から、図１の最右となる一枚を上方に持ち上げるように回転する持ち上げローラ３３を有する。
供給部ＳＴ２は、またさらに、持ち上げローラ３３で持ち上げられたカード３１を、上方に配置された姿勢転換部ＳＴ２ａに挟持して送り込む一対の送り込みローラ３４と、姿勢転換部ＳＴ２ａで水平姿勢にされたカード３１を左方の再転写部ＳＴ１に送り込む複数対の搬送ローラ３５と、を有する。
【００３４】
モータＭ４１の動作は、制御部ＣＴにより制御される。また、持ち上げローラ３３，送り込みローラ３４，及び搬送ローラ３５は、それぞれ制御部ＣＴの制御の下、図示しないモータの駆動によって回転する。
【００３５】
再転写装置５２は、供給部ＳＴ２においてスタッカ３２から垂直姿勢で上方に取り出した一枚のカード３１を、姿勢転換部ＳＴ２ａにおいて水平姿勢に転換し、再転写部ＳＴ１に搬送供給する。
再転写部ＳＴ１において、カード３１は、ヒートローラ駆動部Ｄ４１の動作によって、昇温したヒートローラ４１と対向ローラ４２との間に中間転写フィルム２１と共に圧接挟持されながら、モータＭ４１の駆動により搬出部ＳＴ３に向け移動する。カード３１には、中間転写フィルム２１の転写用受像層２１ｃが圧接する。
この圧接移動で、画像形成装置５１によって転写用受像層２１ｃに形成された中間画像Ｐの一部の範囲が、カード３１に転写される。すなわち、カード３１の表面上に画像Ｐｃが再転写により形成される。
画像Ｐｃが再転写形成されたカード３１は、搬出部ＳＴ３に搬送され、例えば外部のストッカ３６に積層収容される。
再転写のタイミングは、限定されない。一つのフレームＦに中間画像Ｐを形成したら、次のフレームＦに中間画像Ｐを形成する前に、再転写を実行してもよい。また、複数のフレームＦに中間画像Ｐをまとめて形成した後に、再転写を実行してもよい。
【００３６】
画像形成装置５１は、制御部ＣＴと共に、記憶部ＭＲ及び通信部３７を有している。記憶部ＭＲには、画像形成装置５１を含む印刷装置ＰＲ全体の動作を実行するための動作プログラム、及び転写する画像の情報である転写画像情報Ｊ３などが予め記憶されている。記憶部ＭＲの記憶内容は、制御部ＣＴにより適宜参照される。
動作プログラム及び転写画像情報Ｊ３は、外部のデータ機器３８などから通信部３７を介して制御部ＣＴに供給され（図２参照）、記憶部ＭＲに記憶される。
また、制御部ＣＴは、画像形成装置５１又は印刷装置ＰＲの電源をＯＦＦとする際に、正常終了としてＯＦＦとするのか、異常が発生した際のエラー処理（後述する）としてＯＦＦとするのか、の電源ＯＦＦ理由情報を、記憶部ＭＲの不揮発記憶領域に不揮発情報として記憶させる。
この電源のＯＦＦ後、再び電源がＯＮとなった際に、制御部ＣＴは、記憶部ＭＲに記憶させた電源ＯＦＦ理由情報を参照し、その情報の内容に基づいて次の動作（例えば後述する未使用フレーム頭出し動作の手順）を決定する。
【００３７】
次に、画像形成装置５１による中間転写フィルム２１への画像形成動作及び方法について、図７〜図１２を参照して説明する。
画像形成装置５１は、四色の転写動作それぞれにおいて、巻き戻し動作及び頭出し動作を行う。
【００３８】
まず、中間転写フィルム２１において、画像を形成する最初のフレームであるフレームＦ１に、画像Ｐ（１）を転写形成する手順について、図７〜図９を主に参照して説明する。
図７及び図８には、インクリボン１１の移動方向には移動しない（位置が決められた）サーマルヘッド１６に対する、インクリボン１１及び中間転写フィルム２１の位置と転写内容とが示されている。また、転写動作で密着対向させているインクリボン１１のインク層１１ｂの面と中間転写フィルム２１の転写用受像層２１ｃとを、左右に並べて記載している。
また、図７及び図８において、転写に供するインク組１１ｂ１に、説明上の便宜から、１から連番を付してある。例えば、Ｙ１〜ＢＫ１は、１番目の組の黄色インク層〜黒色インク層を示す。
また、フレームＦについては、画像を転写形成するフレーム順に１から連番を付してある。例えば、Ｆ３は、３番目に画像を転写形成するフレームを示す。
また、転写する画像を（  ）付の連番で示す。例えば、画像Ｍ（２）は、マゼンタインクで転写する二番目の画像（フレームＦ２に形成する画像）を意味する。同様に、画像Ｃ（３）は、シアンインクで転写する三番目の画像（フレームＦ３に形成する画像）を意味する。
図９は、中間転写フィルム２１に転写形成された画像Ｙ（１）を、説明のために抜き出した図である。
【００３９】
まず、図７に示されるように、イエローのインク層Ｙ１とフレームＦ１との位置合わせを頭出し動作で行う。
次いで、サーマルヘッド１６を圧接状態としてインクリボン１１と中間転写フィルム２１とを図７の下方に密着移動させながら、イエローのインク層Ｙ１のインクを、フレームＦ１に画像Ｙ（１）を転写する。
この密着移動は一つのフレーム分である。送り方向は、インクリボン１１は巻きとり方向（順送り）であり、中間転写フィルム２１は巻き戻し方向（逆送り）となる。
【００４０】
図８は、画像Ｙ（１）を転写し終わった状態が示されている。
中間転写フィルム２１のフレームＦ１には、イエローインクの画像Ｙ（１）が転写形成されている。また、インクリボン１１のインク層Ｙ１は、画像Ｙ（１）に対応した範囲（斜線で示される）のインクが、他の範囲より少ない、或いは完全に無くなった状態となっている。
【００４１】
図９は、中間転写フィルム２１に転写形成された画像Ｙ（１）を、説明のために抜き出した図である。
図９に示されるように、画像Ｙ（１）は、二つの範囲から形成されている。すなわち、幅方向がｍ個の発熱抵抗体１６ａに対応すると共に縦方向がライン数ＬＮａに対応した矩形の範囲Ｙ（１）ａと、幅方向が範囲Ｙ（１）ａの両側からそれぞれ張り出してｎ個の発熱抵抗体１６ａに対応し、縦方向がライン数ＬＮａより少ないライン数ＬＮｂに対応した細い矩形の範囲Ｙ（１）ｂと、である。
この例では、両側に張り出した例が示されている。以下、このイエローインクの転写で形成される矩形の範囲Ｙ（１）ｂを、使用済みマークＭＹとも称する。
使用済みマークＭＹは、範囲Ｙ（１）ａを転写する前、又は転写した後に形成される。ここでは、転写した後に形成する例を説明する。
また、この例では、範囲Ｙ（１）ａと使用済みマークＭＹとが連続して転写形成されているが、縦方向に離隔して転写形成されていてもよい。
再転写装置５２により被転写体に再転写される再転写範囲Ｙ（１）ｃは、範囲Ｙ（１）ａよりも小さく、縦方向及び幅方向とも範囲Ｙ（１）ａの内側に包含されるようになっている。
【００４２】
図８に示されるように、イエローのインク層Ｙ１のインクで画像Ｙ（１）を転写したフレームＦ１には、次に、マゼンタのインク層Ｍ１のインクで、画像Ｍ（１）を重畳転写する。
まず、図１０に示されるように、マゼンタのインク層Ｍ１とフレームＦ１との位置合わせを頭出し動作で行う。この頭出し動作では、サーマルヘッド１６を、インクリボン１１から離隔した離隔位置とし、インクリボン１１を図８の状態から下方に送り出し（順送り）し、中間転写フィルム２１を、図８の状態から上方に巻き取る（順送り）する。
【００４３】
次いで、サーマルヘッド１６を圧接状態としてインクリボン１１と中間転写フィルムとを、図１０の下方に密着移動させながら、マゼンタのインク層Ｍ１のインクを、フレームＦ１に画像Ｍ（１）で転写する。
ここでは、理解容易のため、画像Ｙ（１）と画像Ｍ（１）の形状及び範囲が同じであるとする。すなわち、画像Ｍ（１）は、範囲Ｙ（１）ａと同じｍ×ＬＮａの範囲Ｍ（１）ａと、使用済みマークＭＹと同じ細い矩形形状の範囲Ｍ（１）ｂと、からなる。マゼンタインクで形成される範囲Ｍ（１）ｂを、以下、使用済みマークＭＭと称する。
これにより、フレームＦ１には、図１１に示される、画像Ｙ（１）と画像Ｍ（１）とが重畳した画像が得られる。
また、範囲Ｙ（１）ａには範囲Ｍ（１）ａが重畳し、使用済みマークＭＹには使用済みマークＭＭが重畳する。
【００４４】
同様に、シアンのインク層Ｃ１とブラックのインク層ＢＫ１とから、それぞれ順番にフレームＦ１に画像Ｙ（１）と同じ形状及び範囲の画像Ｃ（１）と画像ＢＫ（１）とを転写する。
図１２は、四色目の画像ＢＫ（１）を転写し終えた状態が示されている。
すなわち、フレームＦ１には、画像Ｙ（１），画像Ｍ（１），画像Ｃ（１），及び画像ＢＫ（１）が重畳転写されて、中間画像Ｐとして画像Ｐ（１）が形成されている。
画像Ｐ（１）の範囲Ｐ（１）ａは、範囲Ｙ（１）ａ，範囲Ｍ（１）ａ，範囲Ｃ（１）ａ，及び範囲ＢＫ（１）ａが重畳し、使用済みマークＭＺは、使用済みマークＭＹ，使用済みマークＭＭ，シアンインクの使用済みマークＭＣ，及びブラックインクの使用済みマークＭＢＫが重畳して形成されている。
このように、画像Ｐ（１）は、範囲Ｐ（１）ａの画像と範囲Ｐ（１）ｂの画像とを含んで形成されている。範囲Ｐ（１）ａは、画像データ送出部ＣＴ１から供給された画像データＳＮ１に基づき転写形成された画像であり、範囲Ｐ（１）ｂは、使用済みマーク画像生成部ＣＴ２で生成されたＭＺ転写制御信号ＳＮ２に基づき転写形成された使用済み転写フレーム検出用の画像である。
【００４５】
フレームＦ２以降のフレームも、フレームＦ１と同様に、画像Ｐ（２）以降を形成することができる。
そして、各フレームＦに形成した中間画像Ｐの一部が、再転写装置５２によって、カード３１に画像Ｐｃとして転写される。
図１３は、中間転写フィルム２１において、図１２に示された、フレームＦ１に形成された画像Ｐ（１）をカード３１に再転写した後の状態が示されている。
画像Ｐ（１）の範囲Ｐ（１）ａの一部が、カード３１に転写されて再転写範囲Ｐ（１）ｃとなっている。
従って、使用済みマークＭＺを設けてもカード３１への再転写画像に影響は及ばない。
【００４６】
使用済みマークＭＺは、フレームマークセンサ２５で検出可能となるように、次のように形成される。
まず、図１３に示されるように、使用済みマークＭＺは、幅方向において、フレームマークセンサ２５の検出領域ＡＲａに入り込む部分を有する。検出領域ＡＲａは、中間転写フィルム２１の縁部側の所定距離範囲である。
また、使用済みマークＭＺは、フレームマークセンサ２５で検出可能な色，濃度，及びライン数で転写形成される。
【００４７】
画像形成装置５１として、フレームマークセンサ２５は、中間転写フィルム２１の両縁部のどちらに配置されるかは限定されない。すなわち、図１３における左側の縁部を検出する配置と、右側の縁部を検出する配置と、のいずれもが適用される。
中間転写フィルム２１を、フレームマークセンサ２５の配置位置が異なる画像形成装置５１間で架け替え流用することが想定される場合は、図１３に示されるように、使用済みマークＭＺを、範囲Ｐ（１）ａに対し左右両側に張り出して、形成するとよい。
【００４８】
フレームマークセンサ２５は、一般に光学センサとされ、フレームマーク２１ｄによる透過光の透過と遮断と二値信号を、フレームマーク検出情報Ｊ２として出力する。一般の光学センサとしての受光特性上、イエロー及びマゼンタの色は、透過と遮断の差が得にくい。
中間画像Ｐがカラー画像の場合を含め、中間画像Ｐの転写において、その色成分に応じた色のインクが選択的に転写される。一方、中間画像Ｐのうちの使用済みマークＭＺは、中間画像Ｐの色成分によらず、二値信号が比較的確実に得られるシアンインクでの使用済みマークＭＣとブラックインクでの使用済みマークＭＢＫとのいずれかを含んで形成することが好ましい。
【００４９】
次に、画像形成装置５１における、使用済みマークＭＺを利用した未使用フレームの頭出し動作について、図１４〜図１９を参照して説明する。
図１４，図１６，図１７，及び図１９において、中間画像Ｐは、再転写が実行されていないものとして示されている。
【００５０】
まず、エラー復帰の場合の未使用フレーム頭出し動作について説明する。
すなわち、中間転写フィルム２１における、あるフレームＦｋへの転写途中に、画像形成装置５１又は印刷装置ＰＲに何らかの不具合（カード３１の搬送失敗など）が発生すると、印刷装置ＰＲは、エラー処理として自動停止するようになっている。
このエラー処理として電源がＯＦＦした後、不具合を解消して再度電源をＯＮして装置の動作を復帰させるのがエラー復帰である。
エラー復帰で電源がＯＮされたか、正常起動で電源がＯＮされたか、について、制御部ＣＴは、記憶部ＭＲに記憶されている電源ＯＦＦ理由情報に基づいて判定する。
【００５１】
図１４（ａ）は、エラー処理で自動停止したときの、中間転写フィルム２１と、サーマルヘッド１６及びフレームマークセンサ２５と、の位置関係を示した図である。
ここではｋ番目のフレームＦｋに、イエローインク層Ｙからのインクを転写している途中で停止したものとする。
フレームＦｋよりも前のフレームＦｋ−１などには、使用済みマークＭＺを含む完全な中間画像Ｐが形成されている。フレームＦｋには、画像Ｙ（ｋ）ａの一部が転写形成済みであるが、途中停止のため、最後に転写される使用済みマークＭＹは転写形成されていない。
サーマルヘッド１６は、フレームＦｋにおける帯方向の途中位置にあり、フレームマークセンサ２５は、サーマルヘッド１６から巻き取りリール２３側に、距離としてフレームのピッチＬｂの４倍隔てた位置にある。すなわち、フレームＦｋ−４の途中位置にある。
【００５２】
転写途中のエラー処理で電源ＯＦＦとなった後、再度電源ＯＮにしたエラー復帰では、異常終了のため電源ＯＦＦ直前の動作履歴がリセットされている。すなわち、サーマルヘッド１６の位置とフレーム番号との対応情報が失われている。
そこで、制御部ＣＴは、中間転写フィルム２１を巻き取りリール２３で巻き取るように一定速度で移動させ（矢印Ｄｂ参照）、フレームマーク検出情報Ｊ２を監視する。
【００５３】
図１５は、中間転写フィルム２１を図１４（ａ）に示される状態から巻き取りリール２３側に一定速度で移動させたときのフレームマーク検出情報Ｊ２を示している（Ａ移動）。
フレームマーク検出情報Ｊ２は、光が透過しているときのＳ１値と光が遮断されているときのＳ２値との二値情報として提供される。フレームマークセンサ２５は、フレームマーク２１ｄと使用済みマークＭＺとの二つのマークのＳ１値及びＳ２値を検出可能とされている。
これにより、正常に転写が実行されていたフレームＦｋ−１まで、すなわち、フレームＦｋ−２とフレームＦｋ−１との境界のフレームマーク２１ｄまでは、フレームマーク２１ｄと使用済みマークＭＺと対応する二つのＳ２信号の組が、定期的に期間ｔ２で検出される。
【００５４】
しかしながら、フレームＦｋに使用済みマークＭＺが形成されていないことから、フレームＦｋ−１とフレームＦｋとの境界では、フレームマーク２１ｄに対応する一つのＳ２信号しか検出されない。
制御部ＣＴは、二つのＳ２信号の組が検出された場合には、最初のＳ２信号（フレームマーク２１ｄに対応する）の立ち上がりから、二つ目のＳ２信号（使用済みマークＭＺに対応する）の立下りまでの時間を期間ｔ２として監視する。
すなわち、期間ｔ２を経て最初のＳ２信号を検出した後、期間ｔ２が経つ間に、二つ目のＳ２信号が検出されるか否かを判断する。
二つ目のＳ２信号（使用済みマークＭＺに対応する）が検出されれば、フレームマークセンサ２５が、まだ使用済みフレーム内にあると判定する。
一方、二つ目のＳ２信号が検出されなければ、フレームマークセンサ２５が途中停止したフレームＦｋに入ったと判定し、中間転写フィルム２１の巻き取り移動を停止する（図１５のＡ停止）。この状態が図１４（ｂ）に示される。
【００５５】
次に、制御部ＣＴは、サーマルヘッド１６を、転写が途中終了したフレームＦｋの一つ先の完全な未使用フレームＦｋ＋１に頭出しする。
具体的には、中間転写フィルム２１を供給リール２２側に逆送りする〔図１４（ｂ）の矢印Ｄｃ参照〕。
【００５６】
この逆送り移動で検出されるフレームマーク検出情報Ｊ２は、図１５の二値推移を、（Ａ停止）の位置から左方に向けトレースしたものとなる（Ｂ移動）。
制御部ＣＴは、Ｓ２信号の組の、二つ目の組が検出されたら、その組の二番目のＳ２信号（フレームマーク２１ｄａに対応する）の立下り位置（図１５における左縁部）で、送り出し移動を停止する。実際には、フレームマーク２１ｄａに対応するＳ２信号を検出後、継続して所定距離だけ逆送りした後、順送りして位置出しをしてもよい。
これにより、フレームマークセンサ２５の位置は、図１６に示されるように、フレームＦｋ−３とフレームＦｋ−２との境界にあるフレームマーク２１ｄａのフレームＦｋ−３側の縁部となる。
この状態で、サーマルヘッド１６は、最初の未使用フレームＦｋ＋１の頭出し位置にあり、頭出しが完了する。
【００５７】
次に、中間転写フィルム２１の再装着の場合の未使用フレーム頭出し動作について説明する。
すなわち、中間転写フィルム２１における、あるフレームＦｋまで転写が完了し、その後、メンテナンス等のため、中間転写フィルム２１を着脱可能な巻き取りリール２３及び供給リール２２と共に取り外し、再装着した場合である。
【００５８】
まず、中間転写フィルム２１を巻き取りリール２３側に巻き取って再装着した場合を説明する。
この場合、巻き取りリール２３の再装着後、制御部ＣＴは、図１７（ａ）に示されるように、中間転写フィルム２１を供給リール２２側に一定速度で逆送り移動させる（矢印Ｄｄ参照）。
中間転写フィルム２１は、供給リール２２側が未使用フレームになっているので、最初は未使用フレームの部分がフレームマークセンサ２５を通過し、ある程度、逆送り移動したところで、先頭の使用済みフレームＦｋがフレームマークセンサ２５にかかる。
【００５９】
図１８（ａ）は、この逆送り移動（Ｃ移動）におけるフレームマーク検出情報Ｊ２などが示されている。
すなわち、連続した未使用フレームがフレームマークセンサ２５を通過していときには、フレームマーク２１ｄに対応した一つのＳ２信号が定期的に期間ｔ２で得られる。
そして、フレームマークセンサ２５が先頭の使用済みフレームＦｋから隣接する使用済みフレームＦｋ−１にかかるところで、使用済みマークＭＺとフレームマーク２１ｄとに対応する時間的に近接した二つのＳ２信号の組が得られる。
制御部ＣＴは、二つのＳ２信号の組が得られたら、逆送り移動を停止する（Ｃ停止）。
このとき、フレームマークセンサ２５はフレームＦｋ−１の途中にあり、サーマルヘッド１６は、フレームＦｋ＋３の途中にある。
【００６０】
ここで、最初の未使用フレームはフレームＦｋ＋１であるから、サーマルヘッド１６をフレームＦｋ＋１の頭出し位置に移動させるように、制御部ＣＴは、再度中間転写フィルム２１を逆送り移動させ（Ｃ１再移動）、その移動後に、Ｓ２信号の組として二番目に検出した組における、二つ目のＳ２信号の立下り位置で停止する（Ｃ１停止）。
この二つ目のＳ２信号は、図１９にも示されるように、フレームＦｋ−２とフレームＦｋ−３との境界のフレームマーク２１ｄｂに対応する。
この状態で、サーマルヘッド１６は、最初の未使用フレームＦｋ＋１の頭出し位置にあり、頭出しが完了する。
【００６１】
次に、中間転写フィルム２１を供給リール２２側に巻き取って再装着した場合を説明する。
この場合、供給リール２２の再装着後、制御部ＣＴは、図１７（ｂ）に示されるように、中間転写フィルム２１を巻き取りリール２３側に一定速度で順送り移動させる（矢印Ｄｅ参照）。
中間転写フィルム２１は、巻き取りリール２３側が使用済みフレームになっているので、最初は使用済みフレームの部分がフレームマークセンサ２５を通過し、ある程度、順送り移動したところで、先頭の未使用フレームＦｋ＋１がフレームマークセンサ２５にかかる。
【００６２】
図１８（ｂ）は、この順送り移動（Ｄ移動）におけるフレームマーク検出情報Ｊ２などが示されている。
すなわち、連続した使用済みフレームがフレームマークセンサ２５を通過しているときには、フレームマーク２１ｄと使用済みマークＭＺとの組に対応した近接した二つのＳ２信号の組が、定期的に期間ｔ２で得られる。
そして、フレームマークセンサ２５が最後の使用済みフレームＦｋから隣接する未使用フレームＦｋ＋１にかかるところで、フレームマーク２１ｄのみに対応する一つのＳ２信号が得られる。
制御部ＣＴは、定期的に得られるＳ２信号が、二つのＳ２信号の組から一つのＳ２信号に変わったら、巻き取り移動を停止する（Ｄ停止）。
このとき、フレームマークセンサ２５はフレームＦｋ＋１の途中にあり、サーマルヘッド１６はフレームＦｋ＋５の途中にある。
【００６３】
ここで、最初の未使用フレームはフレームＦｋ＋１であるから、サーマルヘッド１６をフレームＦｋ＋１の頭出し位置に移動させるように、制御部ＣＴは、中間転写フィルム２１を供給リール２２側に逆送り移動させる〔図１７（ｂ）の矢印Ｄｆ参照〕（Ｄ１再移動）。
この再移動後に、Ｓ２信号の組として三番目に検出したＳ２信号の組における、二つ目のＳ２信号の立下り位置で停止する（Ｄ１停止）。
この三番目に検出したＳ２信号の組における二つ目のＳ２信号は、図１９にも示されるように、フレームＦｋ−２とフレームＦｋ−３との境界のフレームマーク２１ｄｂに対応する。
この状態で、サーマルヘッド１６は、最初の未使用フレームＦｋ＋１の頭出し位置にあり、頭出しが完了する。
【００６４】
中間転写フィルム２１が、供給リール２２と巻き取りリール２３とが収納されたフィルムカートリッジとして装脱される構造もある。この場合において、一方のリールに中間転写フィルムを巻き取らずにフィルムカートリッジを取り外された場合は、再装着後、制御部ＣＴは、中間転写フィルム２１を供給リール２２又は巻き取りリール２３に一端巻き取り、上述の再装着した場合の頭出し動作を実行する。
【００６５】
上述のように、画像形成装置５１は、制御部ＣＴによって、中間転写フィルム２１の、使用済みフレーム（転写途中で失敗したフレームを含む）と未使用フレームとを、フレームマークセンサ２５から出力される検出信号であるフレームマーク検出情報Ｊ２に基づいて区別する。そして、制御部ＣＴは、その検出結果に基づいて、サーマルヘッド１６を、自動的に使用済みフレームに次ぐ最初の未使用フレームの頭出しを実行する。
これにより、画像形成装置５１及びそれを備えた印刷装置ＰＲは、被画像形成体（中間転写フィルム２１）の未使用フレームの頭出しを良好に効率よく行うことができる。
【００６６】
本発明の実施例は、上述した構成及び手順に限定されるものではなく、本発明の要旨を逸脱しない範囲において変形例としてもよい。
【００６７】
実施例では、中間転写フィルム２１への転写途中にエラーが生じた時点で制御部４２が動作を自動停止させる例を説明したが、制御部４２は、転写途中でのエラー発生後、使用済みマークＭＺを含めて全色の転写を実行した後に動作を自動停止させてもよい。
この場合、エラー復帰後の未使用フレームの頭出し動作として、再装着の場合の頭出し動作を実行すればよい。
【００６８】
画像形成装置５１は、再転写装置５２と複合されて印刷装置ＰＲに搭載された例を説明したが、これに限定されない。
画像形成装置５１は、他の装置と複合されてもよい。もちろん、画像形成装置として単独の装置であってもよい。
【００６９】
中間転写フィルム２１のフレームマーク２１ｄは、全幅に亘り形成されていなくてもよい。また、中間転写フィルム２１の縁部に達していなくてもよい。
フレームマーク２１ｄは、使用済みマークＭＺと共にフレームマークセンサ２５により検出可能であって各フレームＦの境界位置にあればよい。
【符号の説明】
【００７０】
１１  インクリボン
１１ａ  リボンベース、    １１ｂ  インク層、    １１ｂ１  インク組
１１ｄ  頭出しマーク
１２  供給リール、    １３  巻き取りリール、    １４  ガイドシャフト
１５  インクリボンセンサ
１６  サーマルヘッド、    １６ａ  発熱抵抗体、    １６ｂ  ヘッドドライバ
２１  中間転写フィルム
２１ａ  フィルムベース、    ２１ｂ  剥離層、    ２１ｃ  転写用受像層
２１ｄ，２１ｄａ，２１ｄｂ  フレームマーク
２２  供給リール、    ２３  巻き取りリール
２４  ガイドシャフト、    ２５  フレームマークセンサ
２６  プラテンローラ
３１  カード、    ３２  スタッカ
３３  持ち上げローラ、    ３４  送り込みローラ、    ３５  搬送ローラ
３６  ストッカ、    ３７  通信部、    ３８  データ機器
４１  ヒートローラ、    ４２  対向ローラ
５１  画像形成装置、    ５２  再転写装置
ＡＲａ  検出領域
ＣＴ  制御部
ＣＴ１  画像データ送出部、    ＣＴ２  使用済みマーク画像生成部
Ｄ１６  ヘッド離接駆動部、    Ｄ４１  ヒートローラ駆動部
Ｆ,Ｆ１  フレーム
Ｊ１  リボンマーク検出情報、    Ｊ２  フレームマーク検出情報
Ｊ３  転写画像情報
Ｌａ  長さ、    ＬＮａ,ＬＮｂ  ライン数、    Ｌａｐ，Ｌｂ  ピッチ
Ｍ１２，Ｍ１３，Ｍ２２，Ｍ２３，Ｍ２６，Ｍ４１  モータ
Ｐ  中間画像
Ｐｃ，Ｐ（１），Ｙ（１），Ｍ（１），Ｃ（１），ＢＫ（１）  画像
Ｙ（１）ａ，Ｙ（１）ｂ，Ｍ（１）ａ，Ｃ（１）ａ，ＢＫ（１）ａ  範囲
Ｐ（１）ｃ，Ｙ（１）ｃ  再転写範囲
ＰＲ  印刷装置、    ＰＲａ  筐体
ＳＮ１  画像データ、    ＳＮ２  ＭＺ転写制御信号
ＳＴ１  再転写部、    ＳＴ２  供給部、    ＳＴ２ａ  姿勢転換部
ＳＴ３  搬出部
ＭＢＫ  （ブラックインクの）使用済みマーク
ＭＣ  （シアンインクの）使用済みマーク
ＭＭ  （マゼンタインクの）使用済みマーク
ＭＹ  （イエローインクの）使用済みマーク
ＭＺ  使用済みマーク、    ＭＲ  記憶部
【図１】
2016135552.tif 000003
【図２】
2016135552.tif 000004
【図３】
2016135552.tif 000005
【図４】
2016135552.tif 000006
【図５】
2016135552.tif 000007
【図６】
2016135552.tif 000008
【図７】
2016135552.tif 000009
【図８】
2016135552.tif 000010
【図９】
2016135552.tif 000011
【図１０】
2016135552.tif 000012
【図１１】
2016135552.tif 000013
【図１２】
2016135552.tif 000014
【図１３】
2016135552.tif 000015
【図１４】
2016135552.tif 000016
【図１５】
2016135552.tif 000017
【図１６】
2016135552.tif 000018
【図１７】
2016135552.tif 000019
【図１８】
2016135552.tif 000020
【図１９】
2016135552.tif 000021